(57)【特許請求の範囲】
【請求項１】
メモリカードのカードスロットを複数備えた撮像装置であって、
前記カードスロットは、防塵又は防滴のための回転ヒンジ式の本体ドアを備え、
前記本体ドア表面に少なくとも１つのメモリカードを挿抜可能なスライド式ドアを設けた、撮像装置。
【請求項２】
前記カードスロットは、撮影者が撮像装置を肩に乗せた状態で前記メモリカードを挿抜可能な位置にある、請求項１記載の撮像装置。
【請求項３】
横並びに設けられた２つのカードスロットと、
前記２つのカードスロットは、防塵又は防滴のための回転ヒンジ式の本体ドアを備え、
前記本体ドア表面に、カメラレンズ側のカードスロットに対してメモリカードを挿抜可能なスライド式ドアを設けた、請求項1又は請求項２記載の撮像装置。
【発明の詳細な説明】
【技術分野】
【０００１】
本開示は、メモリカードのカードスロットを備えた撮像装置に関する。
【背景技術】
【０００２】
近年、デジタルカメラやビデオカメラなどの撮像装置は、カード型電子装置（以下メモリカードと称す）を挿入することのできるカードスロットを備えている。例えば、特許文献１は、回転ヒンジ式の蓋部材によって保護されるカードスロットを開示する。
【先行技術文献】
【特許文献】
【０００３】
【特許文献１】特開２００６−３１１６８号公報
【発明の概要】
【発明が解決しようとする課題】
【０００４】
本開示は、メモリカードを誤って取り出すことを防止するカードスロットを備えた撮像装置を提供することを目的とする。
【０００５】
また本開示は、撮影動作中にメモリカードの交換を容易とするカードスロットを備えた撮像装置を提供することを目的とする。
【課題を解決するための手段】
【０００６】
本開示にかかる撮像装置は、メモリカードのカードスロットを複数備えた撮像装置であって、前記カードスロットは、防塵又は防滴のための回転ヒンジ式の本体ドアを備え、前記本体ドア表面に少なくとも1つのメモリカードを挿抜可能なスライド式ドアを設けたものである。
【０００７】
また前記カードスロットは、撮影者が撮像装置を肩に乗せた状態で前記メモリカードを挿抜可能な位置にある。
【０００８】
また本開示にかかる撮像装置は、横並びに設けられた２つのカードスロットと、前記２つのカードスロットは、防塵又は防滴のための回転ヒンジ式の本体ドアを備え、前記本体ドア表面に、カメラレンズ側のカードスロットに対してメモリカードを挿抜可能なスライド式ドアを設けたものである。
【発明の効果】
【０００９】
本開示にかかる撮像装置は、本体ドア表面に少なくとも1つのメモリカードを挿抜可能なスライド式ドアを設けたので、本体ドアを閉めた状態でメモリカードの交換が可能となり、本体ドアを開けた状態でメモリカードを交換する場合に誤って別のメモリカードを取り出すことを防止することができる。
【００１０】
また本開示にかかる撮像装置は、カードスロットは、撮影者が撮像装置を肩に乗せた状態でメモリカードを挿抜可能な位置にあるので、撮影動作中にメモリカードの交換を容易にすることができる。
【図面の簡単な説明】
【００１１】
【図１】実施の形態１にかかるカメラレコーダーの構成を示す外観斜視図
【図２】本体ドアが開いた状態のメモリカード収納部の要部斜視図
【図３】（ａ）は本体ドアが閉じ、かつスライド式ドアが閉じた状態のメモリカード収納部の要部斜視図、（ｂ)は本体ドアが閉じ、かつスライド式ドアが開いた状態のメモリカード収納部の要部斜視図
【図４】カメラレコーダーを肩に乗せて撮影を続けながらメモリカードを交換する様子を示す図
【発明を実施するための形態】
【００１２】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、出願人は、当業者が本開示を十分に理解するために添付図面および以下の説明を提供するのであって、これらによって特許請求の範囲に記載の主題を限定することを意図するものではない。
【００１４】
（実施の形態１）
以下、図１〜４を用いて、実施の形態１について説明する。
【００１５】
図１は、実施の形態１にかかるカメラレコーダーの構成を示す外観斜視図である。
【００１６】
カメラレコーダー（撮像装置）の構成を以下に説明する。
カメラレコーダー１０は、肩に乗せて撮影するタイプの撮像装置である。カメラレコーダー１０は、カメラレンズ１１と、撮影者が撮影中の映像又は再生中の映像を確認するためのビューファインダー１２と、本体部（筐体）１３と、本体ドア２１とスライドドア２５を有するメモリカード収納部２０を備える。
【００１７】
尚、カメラレコーダー１０は、図示しないレンズ等の光学部材、撮像素子、制御装置（ＣＰＵ，ＲＡＭ，ＲＯＭ等）等、撮像に使われる種々の部材を備える。
【００１８】
図２は、本体ドアが開いた状態のメモリカード収納部の要部斜視図である。メモリカード収納部２０は防塵又は防滴のための本体ドア２１を備えており、本体ドア２１は回転ヒンジ式であり、カメラレコーダー１０に軸支されたヒンジ部２２によって開閉自在とされている。
【００１９】
図２からわかるように、メモリカード収納部２０には、上部２段に設けられた映像記録用メモリカードであるＰ２カード用のカードスロット２３ａ，２３ｂと、下部に横並びに２ヶ所に設けられた、ＳＤカードサイズの映像記録用メモリカードであるマイクロＰ２カード用のカードスロット２４ａ，２４ｂを備えている。
【００２０】
図３（ａ）は本体ドア２１が閉じ、かつスライド式ドア２５が閉じた状態のメモリカード収納部２０の要部斜視図であり、図３（ｂ)は本体ドア２１が閉じ、かつスライド式ドア２５が開いた状態のメモリカード収納部２０の要部斜視図である。
【００２１】
撮影者がカメラレコーダー１０を肩に乗せた状態で撮影者またはその補助者がマイクロＰ２カードを挿入・取り出しできる位置にカメラレンズ１２側のカードスロット２４ａを設けている。本体ドア２１の表面にはカメラレンズ１２側に近いカードスロット２４ａに対してマイクロＰ２カードを挿抜可能なスライド式ドア２５を設けている。
【００２２】
ここで、従来の課題について以下に説明する。
【００２３】
スライド式ドア２５を設けていない従来の構成では、本体ドア２１が大きく、肩に乗せて撮影している状態で本体ドア２１を開閉することが困難なため、撮影しながらカードを交換することができなかった。本体ドア２１を開けた状態ではマイクロＰ２カード用のカードスロット２４がむき出しとなり、特に撮影動作中に誤ってカードを取り出してしまう事故が起こり得た。
【００２４】
そこで、本実施形態では、回転ヒンジ式の本体ドア２１表面にカメラレンズ１２側にマイクロＰ２カードを挿抜可能なスライド式ドア２５を設けたので、本体ドア２１を閉めた状態でもマイクロＰ２カードの交換が可能となり、撮影動作中にマイクロＰ２カードを誤って取り出すことを防止することができる。
【００２５】
また本実施形態では、図４に示すように、カメラレンズ１１に近いカードスロット２４ａは撮影者がカメラレコーダー１０を肩に乗せた状態でメモリカードを挿抜可能な位置にあるので、撮影者が本体ドア２１を閉めた状態でカメラレコーダー１０を肩に乗せて撮影しながら、図３（ｂ）に示すスライド式ドア２５を開けた状態でマイクロＰ２カードの交換を容易にすることができる。
【００２６】
また、複数のマイクロＰ２カード用のカードスロット２４ａ，２４ｂを設けたので、一つのマイクロＰ２カードを取り出しても、残りのマイクロＰ２カードで継続して映像記録できる。
【００２７】
以上のように本実施の形態において、カメラレコーダー１０を肩に乗せて撮影を続けながら、状況に応じて、映像を記録したメモリカードを取り出し、そのメモリカードに記録した映像を他の機器で加工したり、配信したりすることができ、且つ、貴重な撮影機会を逃さず映像記録することができる。
【００２８】
なお、本実施形態では撮影中に取り出し可能なメモリカードとしてマイクロＰ２カードを用いたが、Ｐ２カードよりも小型の取出しが容易なサイズであるメモリカード、例えばＳＤカードなどのタイプのものでもよい。
【産業上の利用可能性】
【００２９】
本開示は、メモリカードを挿入することのできるカードスロットを備えるものであれば、デジタルカメラやビデオカメラなどの撮像装置に広く適用可能である。
【符号の説明】
【００３０】
１０  カメラレコーダー
１１  カメラレンズ
１２  ビューファインダー
１３  本体部（筐体）
２０  メモリカード収納部
２１  本体ドア
２２  ヒンジ部
２３  Ｐ２カード用のカードスロット
２４  マイクロＰ２カード用のカードスロット
２５  スライド式ドア  
【図１】
0006010767.tif 000002
【図２】
0006010767.tif 000003
【図３】
0006010767.tif 000004
【図４】
0006010767.tif 000005